(57)【要約】【課題】部品点数を少なくするとともに、各部品の構造を簡単にし、加工、組立てを容易にする。【解決手段】レンズ２０の外縁部に連結されるテンプル体５を有し、テンプル体５は、レンズ２０の外縁部に一端が連結されるヨロイ部６と、ヨロイ部６の他端に一端が一体に連結されるとともに、レンズ２０の方向に弾性変形可能な主ばね部８と、主ばね部８の他端に一端が一体に連結されるとともに、主ばね部８の弾性変形に追従してレンズ２０の裏面側で開閉されるテンプル部９とを備える。テンプル部９は、湾曲方向及び曲率の異なる第１副ばね部１０と第２副ばね部１４とを有し、第１副ばね部１０によりフィット感が高められ、第２副ばね部１４により局部的に圧迫されるのが防止される。蝶番が不要となるので、各部品の構造、加工、組立てが簡単となる。【選択図】　　　　図４
2004093741.tif 000002
【特許請求の範囲】
【請求項１】
レンズを保持するメガネフレームであって、レンズの外縁部側に連結されるテンプル体を有し、該テンプル体は、レンズの外縁部側に一端が連結されるヨロイ部と、該ヨロイ部の他端に一端が一体に連結されるとともに、レンズの方向に弾性変形可能な主ばね部と、該主ばね部の他端に一端が一体に連結されるとともに、主ばね部の弾性変形に追従してレンズの裏面側で開閉されるテンプル部とを備えてなることを特徴とするメガネフレーム。
【請求項２】
レンズを保持するメガネフレームであって、レンズの外縁部側に連結されるテンプル体を有し、該テンプル体は、レンズの外縁部側に一端が連結されるとともに、レンズの方向に弾性変形可能なヨロイ部と、該ヨロイ部の他端に一端が一体に連結されるとともに、レンズの方向に弾性変形可能な主ばね部と、該主ばね部の他端に一端が一体に連結されるとともに、前記ヨロイ部及び主ばね部の弾性変形に追従してレンズの裏面側で開閉されるテンプル部とを備えてなることを特徴とするメガネフレーム。
【請求項３】
前記主ばね部は、前記レンズの方向に膨出するΩ形状をなすものであって、一端が前記ヨロイ部の他端に一体に連結され、他端が前記テンプル部の一端に一体に連結されてなることを特徴とする請求項１又は２に記載のメガネフレーム。
【請求項４】
前記テンプル部は、前記主ばね部の他端に一端が一体に連結されるとともに、前記レンズの方向に湾曲する前記レンズの方向に弾性変形可能な第１副ばね部と、該第１副ばね部の他端に一端が一体に連結される支持部と、該支持部の他端に一端が一体に連結されるとともに、前記レンズから離れる方向に湾曲する前記レンズの方向に弾性変形可能な第２副ばね部とからなることを特徴とする請求項１から３の何れかに記載のメガネフレーム。
【請求項５】
前記支持部は、第１副ばね部及び前記第２副ばね部よりも剛性の高いものであることを特徴とする請求項４に記載のメガネフレーム。
【発明の詳細な説明】
【０００１】
【発明の属する技術分野】
本発明は、レンズを保持するために用いられるメガネフレームに関し、特に、部品点数が少なく、各部品の構造が簡単で、各部品の加工、全体の組立てが簡単なメガネフレームに関するものである。
【０００２】
【従来の技術】
レンズを保持するために用いられるメガネフレームの一例として、一対のレンズの内縁部間に連結されるブリッジ、各レンズの外縁部に連結されるヨロイ、各ヨロイに蝶番を介して回動自在に連結されるテンプル等の複数の部品から構成されるツーポイント式のメガネフレームが一般に知られている。
【０００３】
【発明が解決しようとする課題】
そして、このようなタイプのメガネフレームにより一対のレンズを保持することで所謂メガネを構成することができ、顔に装着することで視力を矯正したり、紫外線から目を保護したりすることができるものである。
【０００４】
しかしながら、上記のような構成のメガネフレームにあっては、ブリッジ、ヨロイ、蝶番、テンプル等の多くの部品が必要になるとともに、各部品の構造（特にヨロイ及びテンプルの連結部の構造）が複雑であって、各部品の製作に非常に手間がかかる。また、蝶番の可動片をヨロイ側又はテンプル側に溶接等により一体に連結し、蝶番の固定片をテンプル側又はヨロイ側に溶接等により一体に連結し、可動片と固定片とをネジ等により回動自在に連結しなければならず、その作業に非常に手間がかかることになる。従って、全体の組立てに非常に手間がかかるものである。
【０００５】
本発明は、上記のような従来のもののもつ問題を解決したものであって、構成部品の数が少なく、各部品の構造が簡単であって、各部品の製作が容易であるとともに、ヨロイとテンプルとの間に蝶番を溶接等で連結する必要がなく、全体の組立てが簡単なメガネフレームを提供することを目的とするものである。
【０００６】
【課題を解決するための手段】
上記のような課題を解決するために、本発明の請求項１に係る発明は、レンズを保持するメガネフレームであって、レンズの外縁部側に連結されるテンプル体を有し、該テンプル体は、レンズの外縁部側に一端が連結されるヨロイ部と、該ヨロイ部の他端に一端が一体に連結されるとともに、レンズの方向に弾性変形可能な主ばね部と、該主ばね部の他端に一端が一体に連結されるとともに、主ばね部の弾性変形に追従してレンズの裏面側で開閉されるテンプル部とを備えてなる手段を採用したものである。
また、請求項２に係る発明は、レンズを保持するメガネフレームであって、レンズの外縁部側に連結されるテンプル体を有し、該テンプル体は、レンズの外縁部側に一端が連結されるとともに、レンズの方向に弾性変形可能なヨロイ部と、該ヨロイ部の他端に一端が一体に連結されるとともに、レンズの方向に弾性変形可能な主ばね部と、該主ばね部の他端に一端が一体に連結されるとともに、前記ヨロイ部及び主ばね部の弾性変形に追従してレンズの裏面側で開閉されるテンプル部とを備えてなる手段を採用したものである。
さらに、請求項３に係る発明は、請求項１又は２に記載のメガネフレームにおいて、前記主ばね部は、前記レンズの方向に膨出するΩ形状をなすものであって、一端が前記ヨロイ部の他端に一体に連結され、他端が前記テンプル部の一端に一体に連結されてなる手段を採用したものである。
さらに、請求項４に係る発明は、請求項１から３の何れかに記載のメガネフレームにおいて、前記テンプル部は、前記主ばね部の他端に一端が一体に連結されるとともに、前記レンズの方向に湾曲する前記レンズの方向に弾性変形可能な第１副ばね部と、該第１副ばね部の他端に一端が一体に連結される支持部と、該支持部の他端に一端が一体に連結されるとともに、前記レンズから離れる方向に湾曲する前記レンズの方向に弾性変形可能な第２副ばね部とからなる手段を採用したものである。
さらに、請求項５に係る発明は、請求項４に記載のメガネフレームにおいて、前記支持部は、第１副ばね部及び前記第２副ばね部よりも剛性の高いものである手段を採用したものである。
【０００７】
【作用】
本発明は、前記のような手段を採用したことにより、テンプル体の主ばね部が弾性変形することにより、それに追従してテンプル部全体がレンズの裏面側において開閉されることになる。また、テンプル体のヨロイ部及び主ばね部が弾性変形することにより、それに追従してテンプル部全体がレンズの裏面側において開閉されることになる。さらに、テンプル体のテンプル部に開く方向への力を加えると、第１副ばね部及び第２副ばね部がその方向に弾性変形するとともに、第１副ばね部及び第２副ばね部に反発力が生じ、この反発力によりテンプル部全体が閉じる方向に付勢されることになる。
【０００８】
【発明の実施の形態】
以下、図面に示す本発明の実施の形態について説明する。
図１〜図４には、本発明によるメガネフレームの一実施の形態が示されていて、このメガネフレーム１は、所謂ツーポイント式のメガネフレームであって、一対のレンズ２０、２０の内縁部間に連結されるブリッジ２と、各レンズ２０の外縁部に連結されるテンプル体５とを備えている。
【０００９】
ブリッジ２は、β形チタン合金、ニッケルチタン合金等からなる円弧状をなすものであって、両端部にはレンズ２０に取り付けるための取付け部３、３が設けられ、この取付け部３、３にはそれぞれ取付け孔（図示せず）が貫通した状態で設けられ、この取付け孔とレンズ２０の内縁部に設けた取付け孔（図示せず）との間にレンズ２０の表面側からネジ４を挿通させ、このネジ４にレンズ２０の裏面側からナット（図示せず）を螺合させて締め付けることで、一対のレンズ２０、２０の内縁部間に連結される。
【００１０】
テンプル体５は、β形チタン合金、ニッケルチタン合金等からなるものであって、一端がレンズ２０の外縁部に連結されるヨロイ部６と、ヨロイ部６の他端に一端が連結される主ばね部８と、主ばね部８の他端に一端が一体に連結されるテンプル部９とを備えており、テンプル部９の他端部には合成樹脂製のモダン（図示せず）が被着されるようになっている。この場合、ヨロイ部６、主ばね部８及びテンプル部９は一体に形成されている。
【００１１】
ヨロイ部６の一端部には取付け部７が設けられ、この取付け部７には貫通した状態で取付け孔（図示せず）が設けられ、この取付け孔とレンズ２０の外縁部に設けた取付け孔（図示せず）との間にネジ４を挿通させ、このネジ４にレンズの裏面側からナットを螺合させて締め付けることで、ヨロイ部６がレンズ２０の外縁部に連結されるようになっている。ヨロイ部６は、後述するテンプル部９をレンズ２０の方向に押圧したときに、その力によって他端部が弾性変形して主ばね部８を介してテンプル部９がレンズ２０の裏面側の方向に折り畳まれるのを許容している。
【００１２】
主ばね部は８、レンズ２０の裏面方向に膨出するΩ形状に形成されるばね性を有するものであって、一端がヨロイ部６の他端に一体に連結され、他端に後述するテンプル部９の一端が一体に連結される。主ばね部８は、Ω形状を拡げる方向又は縮める方向に弾性変形可能となっており、この主ばね部８が弾性変形するとともに、前述したヨロイ部６の他端部が弾性変形することにより、それに追従してテンプル部９がレンズ２０の裏面において開閉されるものである。
【００１３】
主ばね部８は、後述するテンプル部９をレンズ２０の方向に押圧した際には、その力によってΩ形状を拡径させる方向に弾性変形し、ヨロイ部６と協働してテンプル部９のレンズ２０の裏面方向（閉じる方向）への動きを許容する。また、テンプル部９をレンズ２０から離れる方向に押圧した際には、その力によってΩ形状を縮径させる方向に弾性変形し、ヨロイ部６と協働してテンプル部９がレンズ２０の裏面から離れる方向（開く方向）への動きを許容する。なお、主ばね部８は、Ω形状に限らず、半環状、逆Ｕ形状等としても良い。また、主ばね部８のばね力は、Ω形状の径、開口部の間隔、開口部の屈曲角度等を調整することにより、所定の値に設定することができる。
【００１４】
主ばね部８とヨロイ部６との関係は、前述したように、テンプル部９を開閉させるときに、図４に示すように、テンプル部９の他端及び主ばね部８が弾性変形するように両者のばね力を設定しても良いし、図示はしないが、テンプル部９の剛性を高めて、主ばね部８のみが弾性変形するように、両者のばね力を設定しても良い。そして、このように構成することにより、ヨロイ部６の取付け部７に応力が集中するのを防止できるので、レンズ２０の割れ等を防止できるものである。
【００１５】
テンプル部９は、棒状をなすものであって、一端が主ばね部８の他端に一体に連結される第１副ばね部１０と、第１副ばね部１０の他端に一端が一体に連結される支持部１１と、支持部１１の他端に一端が一体に連結される第２副ばね部１４と、第２副ばね部１４の他端に一端が連結される耳当て部１５とを備えており、耳当て部１５にはモダン（図示せず）が被着されるようになっている。
【００１６】
第１副ばね部１０は、レンズ２０の裏面方向（テンプル部９を閉じる方向）に所定の曲率で湾曲した形状に形成され、テンプル部９に開く方向への力を加えたときに、湾曲の曲率を大きくする方向に弾性変形し、この弾性変形に対する反発力が内部に生じることにより、テンプル部９全体を閉じる方向に付勢する。
【００１７】
第２副ばね部１４は、レンズ２０の裏面から離れる方向（テンプル部９を開く方向）に所定の曲率で湾曲した形状に形成され、テンプル部９に開く方向への力を加えたときに、湾曲の曲率を小さくする方向に弾性変形し、この弾性変形に対する反発力が内部に生じることにより、テンプル部９全体を閉じる方向に付勢する。
【００１８】
そして、上記のような構成の第１副ばね部１０及び第２副ばね部１４のばね力により、メガネフレーム１を顔に装着した場合に、メガネフレーム１が装着位置からずれたり、脱落したりするのを防止できるものである。
【００１９】
ここで、第１副ばね部１０は、レンズ２０の方向に湾曲する形状に形成されているので、顔に装着した場合のフィット感を高めることができる。また、第２副ばね部１４は、レンズ２０から離れる方向に湾曲する形状に形成されているので、顔に装着した場合に局部的に圧迫されるのを防止することができる。なお、第１副ばね部１０及び第２副ばね部１４の弾性力（反発力）は、それらの曲率、幅、厚み等を調整することにより、所定の値に設定することができるものである。
【００２０】
支持部１１は、第１副ばね部１０及び第２副ばね部１４よりも剛性が高い特性を有するものであって、第１副ばね部１０側に位置する内方に突出する第１支点１２と、第２副ばね部１４側に位置する外方に突出する第２支点１３とを有し、両支点１２、１３は長手方向に所定の間隔をおいて位置している。
【００２１】
そして、この支持部１１の第１支点１２及び第２支点１３により、第１支点１２の前方側に位置する第１副ばね部１０によるばね力及び第２支点１３の後方側に位置する第２副ばね部１４のばね力をそれぞれ独立して又は協働して作用させることができるものである。
【００２２】
そして、上記のように構成したこの実施の形態によるメガネフレーム１は、通常状態では、図２に示すように、テンプル体５はレンズ２０、２０の裏面側においてハ字状に開いた状態となっている。
【００２３】
そして、図２の状態からテンプル部９をレンズ２０の方向に押圧すると、図４に示すように、主ばね部８がΩ形状を拡げる方向に弾性変形するとともに、ヨロイ部６の他端が主ばね部８と同一方向に弾性変形することにより、テンプル部９のレンズ２０の方向への動きが許容され、テンプル部９をレンズ２０の裏面側に折り畳んでケース等に収納可能な状態とすることができる。
【００２４】
一方、図２の状態からテンプル部９をレンズ２０から離れる方向に押圧すると、図４に示すように、主ばね部８がΩ形状を縮める方向に弾性変形するとともに、ヨロイ部６の他端部が同一方向に弾性変形することにより、テンプル部９のレンズ２０から離れる方向への動きが許容され、テンプル部９を開いて顔に装着可能な状態とすることができるものである。
【００２５】
上記のように構成したこの実施の形態によるメガネフレーム１にあっては、ヨロイ部６と主ばね部８とテンプル部９と耳当て部１５とを一体に形成してテンプル体５とし、主ばね部８及びヨロイ部６の弾性変形によりテンプル部９をレンズ２０の裏面側で開閉させるようにしたので、ヨロイ部６とテンプル部９とを回動自在に連結する蝶番が不要となる。従って、部品の点数を少なく、各部品の構造を簡単にすることができ、各部品の加工、全体の組立てが簡単となる。
【００２６】
また、テンプル部９の第１副ばね部１０及び第２副ばね部１４はそれぞれ異なる特性のばね力を有し、これらのばね力を独立に又は協働して作用させることができるので、顔に装着した場合に、局部的に圧迫されるのを防止でき、フィット感を高めることができることになる。
【００２７】
さらに、ヨロイ部６の剛性を主ばね部８及びテンプル部９よりも高く設定することにより、テンプル部９を開閉させる際に、ヨロイ部６の取付け部７に過大な応力が集中するのを阻止でき、レンズ２０の破損等を防止できることになる。
【００２８】
なお、前記の説明においては、本発明をツーポイント式のメガネフレームに適用したが、ナイロール式、フルリム式、ハーフリム式、フロントプラスチック式等のメガネフレームに適用しても良いものであり、その場合にも同様の作用効果を奏するものである。また、前記説明においては、テンプル体５をβ形チタン合金、ニッケルチタン合金で形成したが、それ以外の金属で形成しても良いものであり、金属に限らず合成樹脂等で形成しても良いものであり、その場合にも同様の作用効果を奏するものである。
【００２９】
【発明の効果】
本発明は、請求項１のように構成したことにより、レンズの外縁部側にヨロイ部と主ばね部とテンプル部とを一体に形成したテンプル体が取り付けられ、このテンプル体の主ばね部が弾性変形することにより、レンズの裏面側でテンプル部が開閉可能となる。従って、ヨロイ部とテンプル部とを回動自在に連結する蝶番が不要となるので、部品の点数を少なく、各部品の構造を簡単にすることができ、各部品の加工、全体の組立てが簡単になり、安価なものを提供することができることになる。また、テンプル部のレンズ取付け部に応力が集中することがないので、レンズの割れ等を防止できることになる。
【００３０】
また、請求項２のように構成したことにより、レンズの外縁部側にヨロイ部と主ばね部とテンプル部とを一体に形成したテンプル体が取り付けられ、このテンプル体のヨロイ部及び主ばね部が弾性変形することにより、レンズの裏面側でテンプル部が開閉可能となる。従って、ヨロイ部とテンプル部とを回動自在に連結する蝶番が不要となるので、部品の点数を少なく、各部品の構造を簡単にすることができ、各部品の加工、全体の組立てが簡単になり、安価なものを提供することができることになる。
【００３１】
さらに、請求項３のように構成したことにより、ヨロイ部とテンプル部とを連結する主ばね部の構造を簡単にすることができるとともに、主ばね部の径、開口部の長さ等を変更することにより、主ばね部の特性を容易に所望のものとすることができることになり、汎用性を高めることもできる。
【００３２】
さらに、請求項４のように構成したことにより、テンプル部を開いた場合に、テンプル部の第１副ばね部のばね力及び第２副ばね部のばね力により、テンプルを閉じる方向に付勢することができることになる。従って、第１副ばね部のばね力と第２副ばね部のばね力とにより、顔に装着した場合に局部的に圧迫されるのを防止でき、フィット感を高めることができることになる。
【００３３】
さらに、請求項５のように構成したことにより、支持部によって第１副ばね部によるばね力及び第２副ばね部によるばね力を独立して又は協働して作用させることができることになる。従って、顔に装着した場合に、テンプル部によって顔が局部的に圧迫されて不快感を感じるようなことはなく、フィット感を高めることができることになる。
【図面の簡単な説明】
【図１】本発明によるメガネフレームの一実施の形態を示した正面図である。
【図２】図１の平面図である。
【図３】図１の側面図である。
【図４】図１〜図３に示すメガネフレームのテンプル体の開閉状態を示した説明図である。
【符号の説明】
１……メガネフレーム
２……ブリッジ
３……取付け部
４……ネジ
５……テンプル体
６……ヨロイ部
７……取付け部
８……主ばね部
９……テンプル部
１０……第１副ばね部
１１……支持部
１２……第１支点
１３……第２支点
１４……第２副ばね部
１５……耳当て部
２０……レンズ
【図１】
2004093741.tif 000003
【図２】
2004093741.tif 000004
【図３】
2004093741.tif 000005
【図４】
2004093741.tif 000006